(57)【要約】【課題】封入検査の作業実績を集計し、次に処理する封入検査のロットを作業者に指示することのできるシステムを提供する。【解決手段】作業実績集計システム１の作業実績集計装置３は、封入検査をしている品目およびロットが示される作業実績情報を集計する作業実績集計手段３０と、作業実績集計ＤＢ３３に記憶されている作業実績集計情報毎に、ロット残件数がロット件数の所定パーセントを切ったロットの有無を確認し、該ロットがあれば、ロット集計情報に記され封入検査が行われていないロットの中から、このロット残件数にロット件数を加算した件数が基本数量を中心とする範囲内に収まるロットを検索し、ロット残件数がロット件数の所定パーセントを切ったロットの封入検査に用いられている封入検査装置２に対して、検索したロットの作業指示を送信する作業指示手段３１を備える。【選択図】図２
2014048695.tif 000002
【特許請求の範囲】
【請求項１】
封入検査に用いられる封入検査装置と、前記封入検査装置で実行された封入検査の作業実績を集計する作業実績集計装置とから少なくとも構成される作業実績集計システムであって、
前記封入検査装置は、１件の封入検査が終了すると、封入検査をしている品目およびロットが示される作業実績情報を前記作業実績集計装置に送信する封入検査手段を備え、
前記作業実績集計装置は、封入検査を行うロット件数、封入検査が未処理のロット残件数と封入検査に用いられている封入検査装置をロット毎に記したロット集計情報を含む作業実績集計情報を品目毎に記憶したデータベースと、前記封入検査装置から前記作業実績情報から受信すると、前記作業実績情報で示される品目から前記作業実績集計情報を特定し、前記作業実績情報で示されるロットから前記ロット集計情報を特定した後、特定した前記ロット集計情報の前記ロット残件数を一つ減算する処理を行う作業実績集計手段と、前記データベースに記憶されている前記作業実績集計情報毎に、前記ロット残件数が前記ロット件数の所定パーセントを切ったロットの有無を定期的に確認し、前記ロット残件数が前記ロット件数の所定パーセントを切ったロットがあれば、前記ロット集計情報に記され封入検査が行われていないロットの中から、この前記ロット残件数に前記ロット件数を加算した件数が基本数量を中心とする範囲内に収まるロットを検索し、前記ロット残件数が前記ロット件数の所定パーセントを切ったロットの封入検査に用いられている前記封入検査装置に対して、検索したロットの作業指示を送信する作業指示手段を備えたことを特徴とする作業実績集計システム。
【請求項２】
作業実績の表示要求を受けると、表示要求を受けた品目に対応する前記作業実績集計情報を前記作業実績集計装置から取得し、作業実績の表示要求を行った装置へ該作業実績集計情報を表示する表示データを送信する作業実績表示手段を備えた作業実績表示装置を含み、
前記作業実績集計装置の前記データベースに記憶される前記作業実績集計情報に、作業者の作業者件数、作業者時間および作業の作業能率を作業者毎に記した作業者集計情報を含ませ、前記作業実績集計手段は、封入検査を行っている作業者と作業時間が示される前記作業実績情報を受信すると、前記作業実績情報で示される品目から前記作業実績集計情報を特定し、前記作業実績情報の作業者から前記作業者集計情報を特定した後、特定した前記作業者集計情報の前記作業者件数を一つ加算する処理と、前記作業実績情報の作業時間を前記作業者時間に加算する処理と、加算した後の前記作業者件数および前記作業者時間を用いて算出された値に作業能率を更新する処理を行う、
ことを特徴とする、請求項１に記載した作業実績集計システム。
【請求項３】
封入検査を行うロット件数、封入検査が未処理のロット残件数と封入検査に用いられている封入検査装置をロット毎に記したロット集計情報を含む作業実績集計情報を品目毎に記憶したデータベースと、
封入検査をしている品目およびロットが示される作業実績情報を封入検査装置から受信すると、前記作業実績情報で示される品目から前記作業実績集計情報を特定し、前記作業実績情報で示されるロットから前記ロット集計情報を特定した後、特定した前記ロット集計情報の前記ロット残件数を一つ減算する処理を行う作業実績集計手段と、
前記データベースに記憶されている前記作業実績集計情報毎に、前記ロット残件数が前記ロット件数の所定パーセントを切ったロットの有無を定期的に確認し、前記ロット残件数が前記ロット件数の所定パーセントを切ったロットがあれば、前記ロット集計情報に記され封入検査が行われていないロットの中から、この前記ロット残件数に前記ロット件数を加算した件数が基本数量を中心とする範囲内に収まるロットを検索し、前記ロット残件数が前記ロット件数の所定パーセントを切ったロットの封入検査に用いられている前記封入検査装置に対して、検索したロットの作業指示を送信する作業指示手段と、
を備えたことを特徴とする作業実績集計装置。
【請求項４】
前記データベースに記憶される前記作業実績集計情報に、作業者の作業者件数、作業者時間および作業の作業能率を作業者毎に記した作業者集計情報を含ませ、前記作業実績集計手段は、封入検査を行っている作業者と作業時間が示される前記作業実績情報を受信すると、前記作業実績情報で示される品目から前記作業実績集計情報を特定し、前記作業実績情報の作業者から前記作業者集計情報を特定した後、特定した前記作業者集計情報の前記作業者件数を一つ加算する処理と、前記作業実績情報の作業時間を前記作業者時間に加算する処理と、加算した後の前記作業者件数および前記作業者時間を用いて算出された値に作業能率を更新する処理を行うことを特徴とする、請求項３に記載の作業実績集計装置。
【発明の詳細な説明】
【技術分野】
【０００１】
本発明は、封筒に封入する封入物や封入後の封筒を検査する封入検査の進捗状況を管理し、進捗状況に基づく作業指示を作業者に行うための技術に関する。
【背景技術】
【０００２】
帳票等の封入物を封筒に封入するとき、封入物の欠落あるいは過剰を検査する名寄せ検査や、封入物を封入した封筒の員数を検査する窓検査などの封入検査が実施される。
【０００３】
名寄せ検査としては、特許文献１で開示されているように、封筒に封入する各封入物にバーコードを印字し、封入物を封筒に封入するときにバーコードを読み取り、封筒に封入する封入物の欠落・過剰を検査する。
【０００４】
また、封入物を封入して封緘した封筒の員数を検査する窓検査を実施するときは、名寄せ検査のときと同様に、封入物が封入された封筒の窓から、封入物の一つである宛名台紙に印字されたバーコードを読み取り、バーコードにエンコードされた連番の欠落がないか確認することで、封筒の員数が検査される。
【０００５】
このような封入検査は自動装置を用いて行われることもあるが人手で行うことも多いため、封入検査の作業効率を高めるために、本出願人は、プロダクションモニタを封入検査装置に接続させ、封入検査を行う作業者が各自の作業実績をリアルタイムで把握できるようにしたシステムを特許文献２で開示している。
【先行技術文献】
【特許文献】
【０００６】
【特許文献１】特開２００１−２４３３９９号公報
【特許文献２】特開２００８−２８７４７４号公報
【発明の概要】
【発明が解決しようとする課題】
【０００７】
しかし、上述した技術は、目標を作業者に提示することで封入検査の作業効率を高める発明で、封入検査の作業実績を集計し、次に処理する封入検査のロットを作業者に指示するための発明ではない。
【０００８】
そこで、本発明は、封入検査の作業実績を集計し、次に処理する封入検査のロットを作業者に指示することのできるシステムおよび装置を提供することを目的とする。
【課題を解決するための手段】
【０００９】
上述した課題を解決する第１の発明は、封入検査に用いる封入検査装置と、前記封入検査装置で実行された封入検査の作業実績を集計する作業実績集計装置とから少なくとも構成される作業実績集計システムである。
【００１０】
前記封入検査装置は、封入検査の作業実績を前記作業実績集計装置へ送信するために、１件の封入検査が終了すると、封入検査をしている品目およびロットが示される前記作業実績情報を前記作業実績集計装置に送信する封入検査手段を備える。
【００１１】
また、前記作業実績集計装置は、封入検査を行うロット件数、封入検査が未処理のロット残件数と封入検査に用いられている封入検査装置をロット毎に記したロット集計情報を含む作業実績集計情報を品目毎に記憶したデータベースと、前記封入検査装置から前記作業実績情報から受信すると、前記作業実績情報で示される品目から前記作業実績集計情報を特定し、前記作業実績情報で示されるロットから前記ロット集計情報を特定した後、特定した前記ロット集計情報の前記ロット残件数を一つ減算する処理を行う作業実績集計手段と、前記データベースに記憶されている前記作業実績集計情報毎に、前記ロット残件数が前記ロット件数の所定パーセントを切ったロットの有無を定期的に確認し、前記ロット残件数が前記ロット件数の所定パーセントを切ったロットがあれば、前記ロット集計情報に記され封入検査が行われていないロットの中から、この前記ロット残件数に前記ロット件数を加算した件数が基本数量を中心とする範囲内に収まるロットを検索し、前記ロット残件数が前記ロット件数の所定パーセントを切ったロットの封入検査に用いられている前記封入検査装置に対して、検索したロットの作業指示を送信する作業指示手段を備える。
【００１２】
更に、第２の発明にかかる作業実績集計システムは、第１の発明にかかる作業実績集計システムを構成する装置に加えて、前記作業実績集計装置が記憶している前記作業実績集計情報を封入検査の管理者が閲覧できるように、作業実績の表示要求を受けると、表示要求を受けた品目に対応する前記作業実績集計情報を前記作業実績集計装置から取得し、作業実績の表示要求を行った装置へ該作業実績集計情報を表示する表示データを送信する作業実績表示手段を備えた作業実績表示装置を含むように構成される。
【００１３】
更に、封入検査の作業能率に基いて封入検査の管理者が作業指示を行えるように、第２の発明にかかる作業実績集計システムでは、前記作業実績集計装置の前記データベースに記憶される前記作業実績集計情報に、作業者の作業者件数、作業者時間および作業の作業能率を作業者毎に記した作業者集計情報を含ませ、前記作業実績集計手段は、封入検査を行っている作業者と作業時間が示される前記作業実績情報を受信すると、前記作業実績情報で示される品目から前記作業実績集計情報を特定し、前記作業実績情報の作業者から前記作業者集計情報を特定した後、特定した前記作業者集計情報の前記作業者件数を一つ加算する処理と、前記作業実績情報の作業時間を前記作業者時間に加算する処理と、加算した後の前記作業者件数および前記作業者時間を用いて算出された値に作業能率を更新する処理を行う。
【００１４】
更に、第３の発明は、第１の発明に記載した作業実績集計システムを構成する作業実績集計装置であって、封入検査を行うロット件数、封入検査が未処理のロット残件数と封入検査に用いられている封入検査装置をロット毎に記したロット集計情報を含む作業実績集計情報を品目毎に記憶したデータベースと、封入検査をしている品目およびロットが示される作業実績情報を封入検査装置から受信すると、前記作業実績情報で示される品目から前記作業実績集計情報を特定し、前記作業実績情報で示されるロットから前記ロット集計情報を特定した後、特定した前記ロット集計情報の前記ロット残件数を一つ減算する処理を行う作業実績集計手段と、前記データベースに記憶されている前記作業実績集計情報毎に、前記ロット残件数が前記ロット件数の所定パーセントを切ったロットの有無を定期的に確認し、前記ロット残件数が前記ロット件数の所定パーセントを切ったロットがあれば、前記ロット集計情報に記され封入検査が行われていないロットの中から、この前記ロット残件数に前記ロット件数を加算した件数が基本数量を中心とする範囲内に収まるロットを検索し、前記ロット残件数が前記ロット件数の所定パーセントを切ったロットの封入検査に用いられている前記封入検査装置に対して、検索したロットの作業指示を送信する作業指示手段を備える。
【００１５】
更に、第４の発明は、第３の発明に記載した作業実績集計装置において、前記データベースに記憶される前記作業実績集計情報に、作業者の作業者件数、作業者時間および作業の作業能率を作業者毎に記した作業者集計情報を含ませ、前記作業実績集計手段は、封入検査を行っている作業者と作業時間が示される前記作業実績情報を受信すると、前記作業実績情報で示される品目から前記作業実績集計情報を特定し、前記作業実績情報の作業者から前記作業者集計情報を特定した後、特定した前記作業者集計情報の前記作業者件数を一つ加算する処理と、前記作業実績情報の作業時間を前記作業者時間に加算する処理と、加算した後の前記作業者件数および前記作業者時間を用いて算出された値に作業能率を更新する処理を行う。
【発明の効果】
【００１６】
このように、本発明によれば、封入検査の作業実績を集計し、次に処理する封入検査のロットを作業者に指示することのできるシステムおよび装置を提供できる。
【図面の簡単な説明】
【００１７】
【図１】本発明に係わる作業実績管理システムの構成を示した図。
【図２】作業実績管理システムのブロック図。
【図３】作業実績集計装置が備える品目マスタＤＢを説明する図。
【図４】作業実績集計装置が備える作業実績集計ＤＢを説明する図。
【図５】作業実績集計装置の作業実績集計手段の動作を説明する図。
【図６】作業実績集計装置の作業指示手段の動作を説明する図。
【図７】作業実績集計装置が作業指示する内容を説明する図。
【発明を実施するための形態】
【００１８】
ここから、本発明の好適な実施形態について、図面を参照しながら詳細に説明する。図１は、本発明に係わる作業実績管理システム１の構成を示した図、図２は、作業実績管理システム１のブロック図である。
【００１９】
図１は、本発明に係わる作業実績管理システム１の構成を示した図である。図１で図示した作業実績管理システム１は、封入検査の作業に用いられる複数の封入検査装置２と、封入検査装置２から送信された作業実績を集計する作業実績集計装置３と、作業実績の集計結果を表示する表示データを生成する作業実績集計装置４とから少なくとも構成され、それぞれの装置はネットワークを介して接続している。
【００２０】
まず、作業実績管理システム１を構成する封入検査装置２について説明する。封入検査される封入物６には、通数番号がエンコードされた１次元または２次元のバーコードが印刷され、図１および図２に図示したように、封入検査装置２には、封入物６に印刷されたバーコードを読み取るバーコードリーダ２１が接続されている。
【００２１】
また、封入検査装置２には、コンピュータプログラムにより実現される機能として、図２に図示したように、バーコードリーダ２１によって読み取られた通数番号を利用して、封入物６の欠落または過剰を検査する名寄せ検査や、封入物６を封入した封筒の員数を検査する窓検査などの封入検査を実施する封入検査手段２０が備えられる。
【００２２】
封入検査装置２の封入検査手段２０が実施する封入検査の具体的な内容は、本発明には直接関わらない内容であるため説明を省くが、本実施形態にかかる封入検査手段２０は、１件の封入検査が終了する毎に、封入検査しているロットの品目識別子（受注番号や製造番号など）、封入検査しているロットのロット識別子（ロット番号など）、封入検査装置２の装置識別子、１件の封入検査の開始時刻と終了時刻が含まれる作業実績情報を作業実績集計装置３宛てに送信する。
【００２３】
次に、作業実績管理システム１を構成する作業実績集計装置３について説明する。図２に図示したように、作業実績集計装置３は、封入検査装置２から受信した作業実績情報の集計結果である作業実績集計情報を品目毎に記憶し、封入検査装置２から作業実績情報を受信すると、作業実績情報で特定される品目の作業実績集計情報を更新する作業実績集計手段３０と、作業実績集計情報を解析して次に封入検査するロットを作業者に指示する作業指示手段３１と、封入検査装置２から受信した作業実績情報を記憶する作業実績ＤＢ３２（DataBase）と、作業実績集計情報を品目毎に記憶する作業実績集計ＤＢ３３と、封入検査の対象となる品目の品目情報を品目毎に記憶する品目マスタＤＢ３４を備える。
【００２４】
図３は、作業実績集計装置３が備える品目マスタＤＢ３４を説明する図、図４は、作業実績集計装置３が備える作業実績集計ＤＢ３３を説明する図である。なお、作業実績集計装置３が備える作業実績ＤＢ３２は、作業実績情報を時系列に記憶するＤＢであるため、詳細な説明を省く。
【００２５】
品目マスタＤＢ３４には、封入検査の対象となる品目の品目情報が品目毎に記憶される。図３で図示したように、封入検査の対象となる品目の品目情報には、品目識別子、得意先名、品目名およびロット情報が含まれる。
【００２６】
ロット情報には、封入検査の総件数と、品目に含まれるロット毎にロット識別子およびロット件数が含まれ、本実施形態では、ロット識別子として通数番号の範囲を用いている。
【００２７】
作業実績集計ＤＢ３３には、作業実績情報を集計して得られた作業実績集計情報が品目識別子に関連付けて記憶され、図４で図示したように、本実施形態の作業実績集計情報には、ロット毎の集計結果を示すロット集計情報と、作業者毎の集計結果を示す作業者集計情報が含まれる。
【００２８】
図４（ａ）に図示したように、ロット集計情報には、作業実績集計情報の品目識別子に対応する品目情報に記されているロット識別子毎にロットレコードが記述され、このロットレコードには、ロット識別子、ロット件数、封入検査が未処理の件数であるロット残件数、ロットの封入検査に用いられている封入検査装置２の装置識別子、ロットの封入検査に用いられている封入検査装置２を操作する作業者の作業者識別子、ロットの封入検査を開始したときの日時である開始日時、ロットの封入検査を終了したときの日時である終了日時、これまでにロットの封入検査に要したロット作業時間、封入検査の完了、作業中、未着手を示すロット状態フラグが含まれる。
【００２９】
また、図４（ｂ）に図示したように、作業者集計情報には、ロット集計情報に記載されている作業者識別子毎に作業者レコードが記述され、この作業者レコードには、作業実績集計情報の品目識別子で特定される品目において、作業者識別子で特定される作業者が封入検査した件数である作業者件数と、作業者識別子で特定される作業者が封入検査に要した時間である作業者時間と、作業者識別子で特定される作業者の作業能率が含まれる。
【００３０】
図５は、作業実績集計装置３の作業実績集計手段３０の動作を説明する図である。作業実績集計装置３の作業実績集計手段３０は、封入検査装置２から作業実績情報を受信すると、作業実績情報に含まれる品目識別子を用いて、更新対象となる作業実績集計情報を特定した後、作業実績情報に含まれるロット識別子を用いて、更新対象となる作業実績集計情報に含まれるロット集計情報の中から更新対象となるロットレコードを特定する（Ｓ１）。
【００３１】
作業実績集計装置３の作業実績集計手段３０は、更新対象となるロットレコードのロット状態フラグを確認し（Ｓ２）、ロット状態フラグが未着手でなければ、図５のＳ５に進み、ロット状態フラグが未着手であれば、作業実績情報に含まれる装置識別子、作業者識別子および開始時刻を該ロットレコードに書き込んだ後（Ｓ３）、ロット状態フラグを未着手から作業中に更新する（Ｓ４）。
【００３２】
次に、作業実績集計装置３の作業実績集計手段３０は、更新対象となる作業実績集計情報を参照し、作業実績情報に含まれる作業者識別子を用いて、作業者集計情報の中から更新対象となる作業者レコードを特定する（Ｓ５）。
【００３３】
なお、作業実績集計装置３の作業実績集計手段３０は、作業実績情報に含まれる作業者識別子に対応する作業者レコードがなければ、新たな作業者レコードを作業者集計情報に追加し、追加した作業者レコードに該作業者識別子を書き込む。
【００３４】
次に、作業実績集計装置３の作業実績集計手段３０は、更新対象となるロットレコードのロット残件数を一つ減算する処理を行い、更に、更新対象となる作業者レコードの作業者件数を一つ加算する処理を行う（Ｓ６）。
【００３５】
次に、作業実績集計装置３の作業実績集計手段３０は、更新対象となるロットレコードのロット作業時間に、作業実績情報の開始時刻と終了時刻とから得られる作業時間を加算する処理を行い、更に、更新対象となる作業者レコードの作業者時間に該作業時間を加算する処理を行う（Ｓ７）。
【００３６】
更に、作業実績集計装置３の作業実績集計手段３０は、更新対象となる作業者レコードの作業者件数を作業者時間で除算することでこの時点の作業能率を求め、更新対象となる作業者レコードの作業能率を更新する（Ｓ８）。
【００３７】
次に、作業実績集計装置３の作業実績集計手段３０は、減算した後のロット残件数を確認し（Ｓ９）、ロット残件数が「０」でなければ、この手順を終了し、「０」であれば、更新対象となるロットレコードの終了時刻を作業実績情報に含まれる終了時刻にした後（Ｓ１０）、該ロットレコードのロット状態フラグを作業中から完了に更新してから（Ｓ１１）、この手順を終了する。
【００３８】
作業実績集計装置３の作業指示手段３１について説明する。図６は、作業実績集計装置３の作業指示手段３１の動作を説明する図である。
【００３９】
作業実績集計装置３の作業指示手段３１は、所定時間（例えば、１５分）が経過すると、作業実績集計ＤＢ３３に記憶されている作業実績集計情報毎に、ロット残件数がロット件数の所定パーセントを切ったロットレコードの有無を確認し（Ｓ２０）、該ロットレコードがなければ、この手順を終了する。ロット残件数がロット件数の所定パーセントを切ったロットレコードの有無を確認することで、作業実績集計装置３は、ロット残件数が少なくなったロットを特定することになる。
【００４０】
作業実績集計装置３の作業指示手段３１は、ロット残件数がロット件数の所定パーセントを切ったロットレコードがあれば、該ロットレコードのロット残件数にロット件数を加算した件数が基本数量を中心とする範囲内に収まるロットレコードを、ロット状態フラグが未着手のロットレコードの中から検索し（Ｓ２１）、ロット残件数がロット件数の所定パーセントを切ったロットレコードに記載された装置識別子で特定される封入検査装置２に対して、検索したロットレコードのロット識別子を送信することで、次に処理する封入検査のロットを作業者に指示して（Ｓ２２）、この手順を終了する。
【００４１】
このような内容で作業指示を行うことで、作業指示を行った作業者の封筒検査の件数は、基本数量を中心とする範囲内に収まるため、作業者毎で封入検査の件数の偏りを無くすことができる。
【００４２】
図７は、作業実績集計装置３が作業指示する内容を説明する図である。ロット残件数がロット件数の所定パーセントを切ったロットレコードがあるか確認する際の所定パーセントが５０パーセントとすると、ロット残件数がロット件数の所定パーセントを切ったロットレコードはロットレコード７ａ、ｂになる。
【００４３】
基本数量が「１００」で、基本数量を中心とする範囲を「±２０」とすると、ロット残件数がロット件数の所定パーセントを切ったロットレコード７ａに関しては、ロット残件数にロット件数を加算したときの件数が基本数量を中心とする範囲内に収まるロットレコードはロットレコード７ｃになり、ロットレコード７ａに装置識別子が記載されている封入検査装置２に対して、ロットレコード７ｃに記載されているロット識別子が通知される。
【００４４】
また、ロット残件数がロット件数の所定パーセントを切ったロットレコード７ｂに関しては、ロット残件数にロット件数を加算したときの件数が基本数量を中心とする範囲内に収まるロットレコードはロットレコード７ｄになり、ロットレコード７ｂに装置識別子が記載されている封入検査装置２に対して、ロットレコード７ｄに記載されているロット識別子が通知される。
【００４５】
次に、指定された品目の作業実績集計情報を表示する表示データを生成する作業実績表示装置４について説明する。作業実績表示装置４は、作業者の作業能率に基づいて作業指示を行うことができるように作業実績管理システム１に設けられた装置で、図２に図示したように、作業実績表示装置４は、作業実績の表示要求を受けると、表示要求を受けた品目に対応する作業実績集計情報を作業実績集計装置から取得し、作業実績の表示要求を行った装置へ該作業実績集計情報を表示する表示データを送信する作業実績表示手段４０を備える。
【００４６】
封入検査の管理者が操作するパーソナルコンピュータ５から、作業実績集計情報を表示する品目の品目識別子を受信すると、作業実績表示装置４の作業実績表示手段４０は、パーソナルコンピュータから作業実績の表示要求を受けると、表示要求を受けた品目識別子に関連付けられた作業実績集計情報を作業実績集計装置３から取得し、該作業実績集計情報を表示する表示データとして、ＨＴＭＬ形式の表示データを生成し、生成した表示データを該パーソナルコンピュータ５へ送信する処理を行う。封入検査の管理者は、パーソナルコンピュータ５に表示された作業実績集計情報を閲覧することで、作業者の作業能率等に基づいて作業指示を行うことができる。
【符号の説明】
【００４７】
１    作業実績管理システム
２    封入検査装置
２０  封入検査手段
２１  バーコードリーダ
３    作業実績集計装置
３０  作業実績集計手段
３１  作業指示手段
３２  作業実績ＤＢ
３３  作業実績集計ＤＢ
３４  品目マスタＤＢ
４    作業実績表示装置
４０  作業実績表示手段
５    パーソナルコンピュータ
６    封入物
【図１】
2014048695.tif 000003
【図２】
2014048695.tif 000004
【図３】
2014048695.tif 000005
【図４】
2014048695.tif 000006
【図５】
2014048695.tif 000007
【図６】
2014048695.tif 000008
【図７】
2014048695.tif 000009